(57)【要約】【課題】  挿入検査の作業と挿入検査の道具とを省くことができるコネクタを提供することにある。【解決手段】  コネクタ１のハウジング２には、半挿入防止突起部５を設けている。この半挿入防止突起部５は、雌端子１１を上記ハウジング２内に挿入するときに、上記雌端子１１に上記雌端子１１の挿入方向と反対方向に反発力を付与する。このように、作業者は、上記雌端子１１が上記ハウジング２内に不完全に挿入されていることを、直ぐに、その場で、判断できる。【選択図】  図２
2006147283.tif 000002
【特許請求の範囲】
【請求項１】
端子と、
この端子が挿入されるハウジングと
を備え、
このハウジングには、
上記端子を係止する係止ランス部と、
上記端子を上記ハウジング内に挿入するときに上記端子に上記端子の挿入方向と反対方向に反発力を付与する半挿入防止突起部と
を設けていることを特徴とするコネクタ。
【請求項２】
請求項１に記載のコネクタにおいて、
上記半挿入防止突起部の一端は、上記ハウジングの内面に固定され、
上記半挿入防止突起部の他端は、上記端子の挿入側と反対側に延びており、
上記端子を上記ハウジングに挿入するときに、上記端子が上記半挿入防止突起部を押圧して、上記半挿入防止突起部の他端が、上記端子の挿入側と反対側に倒れて、上記半挿入防止突起部が、弾性変形することを特徴とするコネクタ。
【請求項３】
請求項２に記載のコネクタにおいて、
上記半挿入防止突起部は、上記係止ランス部に対向する上記ハウジングの内面に設けられていることを特徴とするコネクタ。
【請求項４】
請求項２に記載のコネクタにおいて、
上記半挿入防止突起部が固定されている上記ハウジングの内面側で、上記半挿入防止突起部の一端よりも上記半挿入防止突起部の他端側には、上記半挿入防止突起部の幅と同一もしくはそれ以上の幅をもつと共に上記半挿入防止突起部を臨む開口部を設けていることを特徴とするコネクタ。
【請求項５】
請求項４に記載のコネクタにおいて、
上記端子が上記係止ランス部に係止した状態で、
上記半挿入防止突起部の他端の上記端子に対向する面は、上記半挿入防止突起部の一端から上記半挿入防止突起部の他端へ次第に、上記端子から離れるように傾斜しており、
上記開口部は、上記半挿入防止突起部の他端よりも上記端子の挿入側と反対側に広がっていることを特徴とするコネクタ。
【請求項６】
請求項２に記載のコネクタにおいて、
上記ハウジングは、上記端子が挿入される一の挿入口と、他の端子が挿入される他の挿入口とを有し、上記一の挿入口と上記他の挿入口とは、対向しており、
上記半挿入防止突起部は、弾性変形していない自由状態で、上記他の挿入口に重なることを特徴とするコネクタ。
【発明の詳細な説明】
【技術分野】
【０００１】
この発明は、例えば、端子とハウジングを備え、上記端子の上記ハウジング内への不完全な挿入（いわゆる半挿入）を防止するコネクタに関する。
【背景技術】
【０００２】
従来のコネクタは、端子とハウジングを備え、このハウジングの内面には、上記端子を係止する係止ランス部を設けている。上記係止ランス部は、上記端子の上記ハウジング内への半挿入状態で、導通検査ピンの挿入を阻止するように形成されている（特開２００１−１７６５９５号公報：特許文献１参照）。
【０００３】
しかしながら、上記従来のコネクタでは、上記端子を上記ハウジングに挿入した後に、上記導通検査ピンにて上記端子の半挿入状態を検査する必要があり、面倒であった。また、挿入の検査をするために、上記導通検査ピンが必要になって、部品数が多かった。
【特許文献１】特開２００１−１７６５９５号公報
【発明の開示】
【発明が解決しようとする課題】
【０００４】
そこで、この発明の課題は、挿入検査の作業と挿入検査の道具とを省くことができるコネクタを提供することにある。
【課題を解決するための手段】
【０００５】
上記課題を解決するため、この発明のコネクタは、
端子と、
この端子が挿入されるハウジングと
を備え、
このハウジングには、
上記端子を係止する係止ランス部と、
上記端子を上記ハウジング内に挿入するときに上記端子に上記端子の挿入方向と反対方向に反発力を付与する半挿入防止突起部と
を設けていることを特徴としている。
【０００６】
ここで、上記端子は、雌端子または雄端子の何れか一方である。
【０００７】
この発明のコネクタによれば、上記ハウジングには、上記端子を上記ハウジング内に挿入するときに上記端子に上記端子の挿入方向と反対方向に反発力を付与する半挿入防止突起部を設けているので、上記端子を上記ハウジング内に挿入するときに、上記端子は、上記半挿入防止突起部の反発力によって、上記端子の挿入方向と反対方向に押し出される。
【０００８】
このように、作業者は、上記端子が上記ハウジング内に不完全に挿入されていることを、直ぐに、その場で、判断できる。したがって、挿入の作業後に、別途挿入の検査を行う必要がなくなると共に、挿入の検査をする特別な道具が不要になる。
【０００９】
また、上記係止ランス部と上記半挿入防止突起部とは、別に設けられているので、上記係止ランス部を小型にできて、コネクタの全体のサイズを小さくできる。
【００１０】
また、一実施形態のコネクタでは、上記半挿入防止突起部は、少なくとも上記端子を上記ハウジング内に挿入してから上記端子を上記係止ランス部に係止するまで、上記端子に上記端子の挿入方向と反対方向に反発力を付与する。
【００１１】
この一実施形態のコネクタによれば、作業者は、上記端子を上記係止ランス部に係止するまで、上記端子に反発力を、確実に感じ続けることができる。したがって、上記端子が上記ハウジング内に完全に挿入されているか否かを確実に判断できる。
【００１２】
また、一実施形態のコネクタでは、上記係止ランス部および上記半挿入防止突起部は、上記ハウジングに一体に成型されている。
【００１３】
この一実施形態のコネクタによれば、上記係止ランス部および上記半挿入防止突起部は、上記ハウジングに一体に成型されているので、部品数を減少でき、安価にできる。
【００１４】
また、上記ハウジング、上記係止ランス部および上記半挿入防止突起部は、樹脂からなる。
【００１５】
この一実施形態のコネクタによれば、上記ハウジング、上記係止ランス部および上記半挿入防止突起部は、樹脂からなるので、上記端子に電気的に接触せず、安全性が向上する。
【００１６】
また、一実施形態のコネクタでは、
上記半挿入防止突起部の一端は、上記ハウジングの内面に固定され、
上記半挿入防止突起部の他端は、上記端子の挿入側と反対側に延びており、
上記端子を上記ハウジングに挿入するときに、上記端子が上記半挿入防止突起部を押圧して、上記半挿入防止突起部の他端が、上記端子の挿入側と反対側に倒れて、上記半挿入防止突起部が、弾性変形する。
【００１７】
この一実施形態のコネクタによれば、上記半挿入防止突起部を、バネ等の複雑な形状でなく、簡単な形状にできる。
【００１８】
また、一実施形態のコネクタでは、上記半挿入防止突起部は、上記係止ランス部に対向する上記ハウジングの内面に設けられている。
【００１９】
この一実施形態のコネクタによれば、上記半挿入防止突起部は、上記係止ランス部に対向する上記ハウジングの内面に設けられているので、上記端子が上記係止ランス部に係止された状態で、上記半挿入防止突起部の反発力は、上記端子を上記係止ランス部へ押す方向に、作用する。このように、上記端子と上記係止ランス部との係止状態を強固にできて、上記端子が上記ハウジングから抜け出ることを防止できる。
【００２０】
また、一実施形態のコネクタでは、上記半挿入防止突起部が固定されている上記ハウジングの内面側で、上記半挿入防止突起部の一端よりも上記半挿入防止突起部の他端側には、上記半挿入防止突起部の幅と同一もしくはそれ以上の幅をもつと共に上記半挿入防止突起部を臨む開口部を設けている。
【００２１】
ここで、上記半挿入防止突起部の幅とは、上記半挿入防止突起部の一端と上記半挿入防止突起部の他端との方向に垂直な方向の大きさをいう。上記開口部の幅とは、上記端子の挿入方向に垂直な方向の大きさをいう。
【００２２】
この一実施形態のコネクタによれば、上記ハウジングには、上記半挿入防止突起部と同一もしくはそれ以上の幅をもつと共に上記半挿入防止突起部を臨む開口部を設けているので、上記端子が上記係止ランス部に係止されたとき、上記開口部から上記端子を目視できる。このように、上記端子が上記ハウジングに完全に挿入されたか否かを、容易に確認できる。
【００２３】
また、一実施形態のコネクタでは、
上記端子が上記係止ランス部に係止した状態で、
上記半挿入防止突起部の他端の上記端子に対向する面は、上記半挿入防止突起部の一端から上記半挿入防止突起部の他端へ次第に、上記端子から離れるように傾斜しており、
上記開口部は、上記半挿入防止突起部の他端よりも上記端子の挿入側と反対側に広がっている。
【００２４】
この一実施形態のコネクタによれば、上記端子が上記係止ランス部に係止した状態で、上記半挿入防止突起部の他端の面は、上記端子から離れるように傾斜しており、上記開口部は、上記半挿入防止突起部の他端よりも上記端子の挿入側と反対側に広がっているので、上記開口部から上記半挿入防止突起部の他端の傾斜面に、針金等の工具を差し込んで、上記半挿入防止突起部を上記端子から離隔させることにより、上記端子を容易に上記ハウジングから取り外すことができる。
【００２５】
また、一実施形態のコネクタでは、
上記ハウジングは、上記端子が挿入される一の挿入口と、他の端子が挿入される他の挿入口とを有し、上記一の挿入口と上記他の挿入口とは、対向しており、
上記半挿入防止突起部は、弾性変形していない自由状態で、上記他の挿入口に重なる。
【００２６】
ここで、上記端子が雌端子であるとき、上記他の端子は雄端子である一方、上記端子が雄端子であるとき、上記他の端子は雌端子である。
【００２７】
この一実施形態のコネクタによれば、上記半挿入防止突起部は、弾性変形していない自由状態で、上記他の挿入口に重なるので、上記端子が上記ハウジングに不完全に挿入されているとき、および、上記端子が上記ハウジングに挿入される前に、上記ハウジングの上記他の挿入口に、上記他の端子を挿入すると、上記他の端子は、上記半挿入防止突起部によって、上記ハウジング内への挿入が阻止される。
【００２８】
このように、上記他の端子を上記ハウジング内に挿入するときに、上記端子の不完全挿入状態および挿入前状態を、検知することができる。
【発明の効果】
【００２９】
この発明のコネクタによれば、上記ハウジングには、上記端子を上記ハウジング内に挿入するときに上記端子に上記端子の挿入方向と反対方向に反発力を付与する半挿入防止突起部を設けているので、作業者は、上記端子が上記ハウジング内に不完全に挿入されていることを、直ぐに、その場で、判断できる。このように、挿入の作業後に、別途挿入の検査を行う必要がなくなると共に、挿入の検査をする特別な道具が不要になる。
【発明を実施するための最良の形態】
【００３０】
以下、この発明を図示の実施の形態により詳細に説明する。
【００３１】
図１は、この発明のコネクタの一実施形態である断面図を示している。この発明のコネクタ１は、雌端子１１と、この雌端子１１が挿入されるハウジング２とを備える。
【００３２】
上記ハウジング２は、例えば、角筒である。上記ハウジング２は、雌端子挿入口７と雄端子挿入口８とを有する。上記雌端子挿入口７と上記雄端子挿入口８とは、対向している。
【００３３】
上記雌端子１１には、電線Ｗが取り付けられている。上記雌端子１１は、矢印Ａ方向に沿って、上記雌端子挿入口７から上記ハウジング２内の端子収容室３に挿入される。
【００３４】
雄端子２１は、上記雄端子挿入口８から上記ハウジング２内の端子収容室３に挿入される。そして、上記雄端子２１は、上記端子収容室３で、上記雌端子１１と電気的に結合される。
【００３５】
上記ハウジング２には、係止ランス部４と半挿入防止突起部５とを設けている。上記半挿入防止突起部５は、上記係止ランス部４に対向する上記ハウジング２の内面に設けられている。
【００３６】
上記係止ランス部４は、上記ハウジング２に弾性変形可能に取り付けられ、上記ハウジング２の壁面の一部を形成している。上記係止ランス部４は、上記雌端子１１を係止する。すなわち、上記雌端子１１には、上記係止ランス部４と係合する係止部１２を設けている。
【００３７】
上記半挿入防止突起部５の一端５１は、上記ハウジング２の内面に固定され、上記半挿入防止突起部５の他端５２は、上記雌端子１１の挿入側と反対側に延びている。すなわち、上記半挿入防止突起部５は、上記半挿入防止突起部５の他端５２が上記雄端子挿入口８側に倒れるように、上記ハウジング２の内面に傾いて取り付けられている。
【００３８】
上記半挿入防止突起部５は、上記半挿入防止突起部５の他端５２が上記雄端子挿入口８側に倒れて、弾性変形する。上記半挿入防止突起部５は、弾性変形していない自由状態で、上記雄端子挿入口８に重なる。
【００３９】
上記係止ランス部４および上記半挿入防止突起部５は、上記ハウジング２に一体に成型されている。上記ハウジング２、上記係止ランス部４および上記半挿入防止突起部５は、樹脂からなる。
【００４０】
上記半挿入防止突起部５が固定されている上記ハウジング２の内面側には、開口部９を設けている。上記開口部９は、上記半挿入防止突起部５の一端５１よりも上記半挿入防止突起部５の他端５２側に位置している。上記開口部９は、上記半挿入防止突起部５の幅と同一もしくはそれ以上の幅をもち、上記半挿入防止突起部５を臨む。
【００４１】
上記半挿入防止突起部５の幅とは、上記半挿入防止突起部５の一端５１と上記半挿入防止突起部５の他端５２との方向に垂直な方向の大きさをいう。上記開口部９の幅とは、上記雌端子１１の挿入方向（矢印Ａ方向）に垂直な方向の大きさをいう。
【００４２】
上記半挿入防止突起部５が固定されている上記ハウジング２の内面側には、端子挿入ガイド部６を設けている。上記雌端子１１は、上記端子挿入ガイド部６に沿って、挿入される。
【００４３】
図３に示すように、上記雌端子１１が上記係止ランス部４に係止した状態で、上記半挿入防止突起部５の他端５２の上記雌端子１１に対向する面５２ａは、上記半挿入防止突起部５の一端５１から上記半挿入防止突起部５の他端５２へ次第に、上記雌端子１１から離れるように傾斜している。また、上記開口部９は、上記半挿入防止突起部５の他端５２よりも上記雄端子挿入口８側に広がっている。
【００４４】
次に、上記雌端子１１を上記ハウジング２内に挿入するときの作用を説明する。
【００４５】
図１に示すように、上記雌端子１１を、上記雌端子挿入口７から、上記端子挿入ガイド部６に沿って、上記端子収容室３に挿入していく。
【００４６】
図２に示すように、上記雌端子１１の端部（詳しくは、前面角部）は、上記半挿入防止突起部５の中途部を押圧して、上記半挿入防止突起部５の他端５２は、上記雄端子挿入口８側に倒れて、上記半挿入防止突起部５は、弾性変形する。
【００４７】
このとき、上記半挿入防止突起部５は、上記雌端子１１に、上記雌端子１１の挿入方向（矢印Ａ方向）と反対方向（矢印Ｂ方向）に反発力を付与する。すなわち、上記雌端子１１は、上記半挿入防止突起部５の反発力によって、上記ハウジング２の外側に押し出される力を受ける。
【００４８】
さらに、上記半挿入防止突起部５の反発力に抗して、上記雌端子１１を上記ハウジング２内へ挿入していくと、図３に示すように、上記雌端子１１の上記係止部１２は、弾性変形した上記係止ランス部４に係止される。
【００４９】
このとき、上記雌端子１１が、上記半挿入防止突起部５の反発力によって、上記ハウジング２の外側に押し出される力を受けても、上記雌端子１１は、上記係止ランス部４に係止されているので、上記ハウジング２の外側への上記雌端子１１の移動は、阻止される。
【００５０】
このように、上記雌端子１１が上記係止ランス部４に係止されている上記雌端子１１の完全挿入状態において、上記雌端子１１は、上記ハウジング２内に固定される。
【００５１】
言い換えると、上記雌端子１１が上記係止ランス部４に係止されていない上記雌端子１１の不完全挿入状態（半挿入状態）において、上記半挿入防止突起部５の弾性変形による反発力によって、上記雌端子１１は、上記ハウジング２の外側に押し出される。
【００５２】
したがって、作業者は、上記雌端子１１が上記ハウジング２内に不完全に挿入されていることを、直ぐに、その場で、判断できて、上記雌端子１１の半挿入状態を防止することができる。このように、挿入の作業後に、別途挿入の検査を行う必要がなくなると共に、挿入の検査をする特別な道具が不要になる。
【００５３】
また、上記半挿入防止突起部５は、上記係止ランス部４に対向する上記ハウジング２の内面に設けられているので、上記雌端子１１が上記係止ランス部４に係止された状態で、上記半挿入防止突起部５の反発力は、上記雌端子１１を上記係止ランス部４へ押す方向に、作用する。このように、上記雌端子１１と上記係止ランス部４との係止状態を強固にできて、上記雌端子１１が上記ハウジング２から抜け出ることを防止できる。
【００５４】
また、上記ハウジング２には、上記半挿入防止突起部５と同一もしくはそれ以上の幅をもつと共に上記半挿入防止突起部５を臨む上記開口部９を設けているので、上記雌端子１１が上記係止ランス部４に係止されたとき、上記開口部９から上記雌端子１１を目視できる。このように、上記雌端子１１が上記ハウジング２に完全に挿入されたか否かを、容易に確認できる。
【００５５】
その後、図３に示すように、上記雄端子２１を、矢印Ｃ方向に、上記雄端子挿入口８から上記端子収容室３に挿入して、上記雌端子１１に電気的に結合させる。このように、上記雌端子１１、上記雄端子２１および上記ハウジング２を一体にする。
【００５６】
なお、図１に示すように、上記半挿入防止突起部５は、弾性変形していない自由状態で、上記雄端子挿入口８に重なるので、上記雌端子１１が上記ハウジング２に不完全に挿入されているとき、および、上記雌端子１１が上記ハウジング２に挿入される前に、上記ハウジング２の上記雄端子挿入口８に、上記雄端子２１を挿入すると、上記雄端子２１は、上記半挿入防止突起部５によって、上記ハウジング２内への挿入が阻止される。
【００５７】
このように、上記雄端子２１を上記ハウジング２内に挿入するときに、上記雌端子１１の不完全挿入状態および挿入前状態を、検知することができる。
【００５８】
次に、上記ハウジング２から上記雌端子１１を取り外すときの作用を説明する。
【００５９】
まず、上記雄端子２１を上記雌端子１１から取り外す。その後、図３に示すように、上記開口部９から上記半挿入防止突起部５の他端５２の面５２ａに、（図示しない）針金等の工具を差し込んで、上記半挿入防止突起部５を上記雌端子１１から離隔させる。そして、上記雌端子１１を上記ハウジング２から取り外す。
【００６０】
このように、上記半挿入防止突起部５の他端５２の面５２ａは、上記雌端子１１から離れるように傾斜しており、上記開口部９は、上記半挿入防止突起部５の他端５２よりも上記雄端子挿入口８側に広がっているので、上記雌端子１１を上記ウジング２から容易に取り外すことができる。
【００６１】
上記構成のコネクタ１によれば、上記係止ランス部４と上記半挿入防止突起部５とは、別に設けられているので、上記係止ランス部４を小型にできて、このコネクタ１の全体のサイズを小さくできる。また、上記半挿入防止突起部５を、バネ等の複雑な形状でなく、簡単な形状にできる。また、上記係止ランス部４および上記半挿入防止突起部５は、上記ハウジング２に一体に成型されているので、部品数を減少でき、安価にできる。また、上記ハウジング２、上記係止ランス部４および上記半挿入防止突起部５は、樹脂からなるので、上記雌端子１１に電気的に接触せず、安全性が向上する。
【００６２】
なお、この発明は上述の実施形態に限定されない。例えば、この発明のコネクタは、上記雌端子用のコネクタ１に限らず、雄端子と、この雄端子が挿入されるハウジングとを備えている雄端子用のコネクタであってもよい。また、一つの上記ハウジングにて、複数の上記端子を係止できるようにしてもよい。
【００６３】
また、上記係止ランス部４と上記半挿入防止突起部５との相互の位置関係は、限定されない。例えば、上記雌端子１１が上記係止ランス部４に係止された状態で、上記半挿入防止突起部５の他端５２が、上記雌端子１１の前面角部に接触するようにしてもよい。すなわち、上記雌端子１１が上記係止ランス部４に係止された状態で、上記雌端子１１の挿入方向と反対方向に、上記半挿入防止突起部５の反発力を、上記雌端子１１に一層確実に付与し続けることができる。
【００６４】
したがって、作業者は、上記雌端子１１を上記係止ランス部４に係止するまで、上記雌端子１１に反発力を、一層確実に感じ続けることができる。このように、上記雌端子１１が上記ハウジング２内に完全に挿入されているか否かを確実に判断できる。
【図面の簡単な説明】
【００６５】
【図１】本発明のコネクタの一実施形態を示すと共に雌端子の挿入前状態を示す断面図である。
【図２】本発明のコネクタの雌端子の半挿入状態を示す断面図である。
【図３】本発明のコネクタの雌端子の完全挿入状態を示す断面図である。
【符号の説明】
【００６６】
１    雌端子用のコネクタ
２    ハウジング
３    端子収容室
４    係止ランス部
５    半挿入防止突起部
５１    一端
５２    他端
５２ａ    面
６    端子挿入ガイド部
７    雌端子挿入口（一の挿入口）
８    雄端子挿入口（他の挿入口）
９    開口部
１１    雌端子（一の端子）
１２    係止部
２１    雄端子（他の端子）
Ｗ    電線
Ａ    雌端子の挿入方向
Ｂ    雄端子の挿入方向
Ｃ    半挿入防止突起部の反発力の方向
【図１】
2006147283.tif 000003
【図２】
2006147283.tif 000004
【図３】
2006147283.tif 000005